(57)【要約】【課題】ハウジングのリブに対してコードクリップを取り付けるのに要する力を調整できるようにする。【解決手段】ハーネスコード１と、ハーネスコード１を保持するための保持部（２ａ１ａ）を有するコードクリップ２と、コードクリップ２が取り付けられるハウジング３とを具備する車両用灯具において、２つの係止爪２ｂ２を有する金属製のバネクリップ２ｂを樹脂製のクリップ本体２ａの内側に組み込むことによりコードクリップ２を形成し、２つの係止爪２ｂ２の間に挿入されるリブ３ａをハウジング３に形成し、２つの係止爪２ｂ２の間に挿入されるリブ３の幅寸法Ｗ１，Ｗ２をリブ３の長手方向の位置に応じて異ならせた。【選択図】図１
2008177051.tif 000002
【特許請求の範囲】
【請求項１】
ハーネスコードと、前記ハーネスコードを保持するための保持部を有するコードクリップと、前記コードクリップが取り付けられるハウジングとを具備する車両用灯具において、
２つの係止爪を有する金属製のバネクリップを樹脂製のクリップ本体の内側に組み込むことにより前記コードクリップを形成し、
前記２つの係止爪の間に挿入されるリブを前記ハウジングに形成し、
前記２つの係止爪の間に挿入されるリブの幅寸法をリブの長手方向の位置に応じて異ならせたことを特徴とする車両用灯具。
【請求項２】
前記２つの係止爪の間に挿入されるリブの幅寸法をリブの長手方向の位置に応じて連続的に異ならせたことを特徴とする請求項１に記載の車両用灯具。
【請求項３】
前記コードクリップの下面と前記ハウジングの底面とによって前記ハーネスコードを狭持することにより、前記ハーネスコードを保持することを特徴とする請求項１又は２に記載の車両用灯具。
【請求項４】
前記ハーネスコードの上面と相補形状の凹状面を前記コードクリップの下面に形成したことを特徴とする請求項３に記載の車両用灯具。
【請求項５】
前記バネクリップの両側に前記凹状面を形成したことを特徴とする請求項４に記載の車両用灯具。
【請求項６】
前記２つの係止爪の間に挿入されるリブの幅寸法をリブの高さ方向の位置に応じて異ならせたことを特徴とする請求項１〜５のいずれか一項に記載の車両用灯具。
【請求項７】
前記２つの係止爪の間に挿入されるリブの幅寸法をリブの高さ方向の位置に応じて連続的に異ならせたことを特徴とする請求項６に記載の車両用灯具。
【発明の詳細な説明】
【技術分野】
【０００１】
本発明は、ハーネスコードと、ハーネスコードを保持するための保持部を有するコードクリップと、コードクリップが取り付けられるハウジングとを具備する車両用灯具に関し、特には、ハウジングのリブに対してコードクリップを取り付けるのに要する力を調整することができる車両用灯具に関する。
【背景技術】
【０００２】
従来から、ハーネスコードと、ハーネスコードを保持するための保持部を有するコードクリップと、コードクリップが取り付けられるハウジングとを具備する車両用灯具が知られている。この種の車両用灯具の例としては、例えば特開２００４−２７３３５２号公報に記載されたものがある。
【０００３】
特開２００４−２７３３５２号公報に記載された車両用灯具では、コードクリップが帯状の部材によって構成されている。詳細には、帯状のコードクリップが折りたたまれ、その折りたたまれた帯状のコードクリップによって、ハーネスコードが狭持され、保持されている。
【０００４】
更に、特開２００４−２７３３５２号公報に記載された車両用灯具では、帯状のコードクリップの両端にねじ穴が形成されている。詳細には、帯状のコードクリップが折りたたまれ、それらのねじ穴が重ね合わされている。更に、ハーネスコードを保持した状態で折りたたまれているコードクリップが、それらのねじ穴を利用して、車両用灯具のハウジング（カバー）に対してねじ止めされている。
【０００５】
このように、特開２００４−２７３３５２号公報に記載された車両用灯具では、コードクリップを車両用灯具のハウジング（カバー）に対して固定する場合にねじ止め工程が必要になってしまう。
【０００６】
ねじ止め工程無しで例えば車両のインストルメントパネルに対して固定可能なコードクリップの例として、例えば特開平１１−５５８３５号公報に記載されたものがある。特開平１１−５５８３５号公報に記載されたコードクリップでは、金属製のバネクリップが樹脂製のクリップ本体の内側に組み込まれている。
【０００７】
特開平１１−５５８３５号公報に記載されたコードクリップでは、互いに近づく側に付勢された２つの係止爪が、金属製のバネクリップのＵ字状の狭持片の両端に一体形成されている。
【０００８】
詳細には、特開平１１−５５８３５号公報に記載されたコードクリップが例えば車両のインストルメントパネルに対して固定される時には、車両のインストルメントパネルに設けられたリブが、２つの係止爪の間に挿入される。その結果、一方の係止爪がリブの一方の側面に係止し、他方の係止爪がリブの他方の側面に係止する。それにより、コードクリップが、ねじ止め工程無しで、例えば車両のインストルメントパネルのリブに対して固定される。
【０００９】
【特許文献１】特開２００４−２７３３５２号公報
【特許文献２】特開平１１−５５８３５号公報
【発明の開示】
【発明が解決しようとする課題】
【００１０】
このように、特開２００４−２７３３５２号公報に記載された車両用灯具に対して、特開平１１−５５８３５号公報に記載されたコードクリップを適用することにより、ねじ止め工程無しで、車両用灯具のハウジングのリブに対してコードクリップを固定することができると考えられる。
【００１１】
ところで、特開平１１−５５８３５号公報に記載されたコードクリップでは、金属製のバネクリップとして、板バネを複雑な形状に加工したものが用いられている。
【００１２】
そのため、特開２００４−２７３３５２号公報に記載された車両用灯具に対して、特開平１１−５５８３５号公報に記載されたコードクリップを適用すると、車両用灯具のハウジングのリブをコードクリップの金属製のバネクリップの２つの係止爪の間に挿入する時に２つの係止爪を弾性変形させるのに要する力が、コードクリップ毎に大きくばらついてしまうおそれがある。
【００１３】
前記問題点に鑑み、本発明は、ハウジングのリブに対してコードクリップを取り付けるのに要する力を調整することができる車両用灯具を提供することを目的とする。
【課題を解決するための手段】
【００１４】
請求項１に記載の発明によれば、ハーネスコードと、前記ハーネスコードを保持するための保持部を有するコードクリップと、前記コードクリップが取り付けられるハウジングとを具備する車両用灯具において、２つの係止爪を有する金属製のバネクリップを樹脂製のクリップ本体の内側に組み込むことにより前記コードクリップを形成し、前記２つの係止爪の間に挿入されるリブを前記ハウジングに形成し、前記２つの係止爪の間に挿入されるリブの幅寸法をリブの長手方向の位置に応じて異ならせたことを特徴とする車両用灯具が提供される。
【００１５】
請求項２に記載の発明によれば、前記２つの係止爪の間に挿入されるリブの幅寸法をリブの長手方向の位置に応じて連続的に異ならせたことを特徴とする請求項１に記載の車両用灯具が提供される。
【００１６】
請求項３に記載の発明によれば、前記コードクリップの下面と前記ハウジングの底面とによって前記ハーネスコードを狭持することにより、前記ハーネスコードを保持することを特徴とする請求項１又は２に記載の車両用灯具が提供される。
【００１７】
請求項４に記載の発明によれば、前記ハーネスコードの上面と相補形状の凹状面を前記コードクリップの下面に形成したことを特徴とする請求項３に記載の車両用灯具が提供される。
【００１８】
請求項５に記載の発明によれば、前記バネクリップの両側に前記凹状面を形成したことを特徴とする請求項４に記載の車両用灯具が提供される。
【００１９】
請求項６に記載の発明によれば、前記２つの係止爪の間に挿入されるリブの幅寸法をリブの高さ方向の位置に応じて異ならせたことを特徴とする請求項１〜５のいずれか一項に記載の車両用灯具が提供される。
【００２０】
請求項７に記載の発明によれば、前記２つの係止爪の間に挿入されるリブの幅寸法をリブの高さ方向の位置に応じて連続的に異ならせたことを特徴とする請求項６に記載の車両用灯具が提供される。
【発明の効果】
【００２１】
請求項１に記載の車両用灯具では、ハーネスコードを保持するための保持部を有するコードクリップが、２つの係止爪を有する金属製のバネクリップを樹脂製のクリップ本体の内側に組み込むことにより形成されている。更に、コードクリップが取り付けられるハウジングに、リブが形成されている。
【００２２】
詳細には、請求項１に記載の車両用灯具では、コードクリップの２つの係止爪の間にハウジングのリブを挿入することにより、一方の係止爪がリブの一方の側面に係止し、他方の係止爪がリブの他方の側面に係止する。
【００２３】
そのため、請求項１に記載の車両用灯具によれば、ねじ止め工程無しでコードクリップをハウジングのリブに対して固定することができる。
【００２４】
更に、請求項１に記載の車両用灯具では、２つの係止爪の間に挿入されるリブの幅寸法が、リブの長手方向の位置に応じて異ならされている。
【００２５】
詳細には、請求項１に記載の車両用灯具では、リブの幅寸法が比較的小さい位置においてコードクリップの２つの係止爪の間にハウジングのリブを挿入することにより、ハウジングのリブに対してコードクリップを取り付けるのに要する力を小さくすることができる。
【００２６】
また、請求項１に記載の車両用灯具では、リブの幅寸法が比較的大きい位置においてコードクリップの２つの係止爪の間にハウジングのリブを挿入することにより、ハウジングのリブに対してコードクリップを取り付けるのに要する力を大きくすることができる。
【００２７】
すなわち、請求項１に記載の車両用灯具によれば、ハウジングのリブに対してコードクリップを取り付けるのに要する力を調整することができる。
【００２８】
請求項２に記載の車両用灯具では、２つの係止爪の間に挿入されるリブの幅寸法が、リブの長手方向の位置に応じて段階的に異ならされているのではなく、リブの長手方向の位置に応じて連続的に異ならされている。そのため、請求項２に記載の車両用灯具によれば、２つの係止爪の間に挿入されるリブの幅寸法がリブの長手方向の位置に応じて段階的に異ならされている場合よりも、ハウジングのリブに対してコードクリップを取り付けるのに要する力を細かく調整することができる。
【００２９】
請求項３に記載の車両用灯具では、コードクリップの下面とハウジングの底面とによってハーネスコードを狭持することにより、ハーネスコードが保持される。そのため、請求項３に記載の車両用灯具によれば、例えば特開２００４−２７３３５２号公報に記載された車両用灯具のようにコードクリップを折りたたむ必要なく、ハーネスコードを保持することができる。
【００３０】
請求項４に記載の車両用灯具では、ハーネスコードの上面と相補形状の凹状面がコードクリップの下面に形成されている。そのため、請求項４に記載の車両用灯具によれば、コードクリップの下面が平面によって構成されている場合よりもハーネスコードの保持力を向上させることができる。
【００３１】
請求項５に記載の車両用灯具では、ハーネスコードの上面と相補形状の凹状面がバネクリップの両側に形成されている。そのため、請求項５に記載の車両用灯具によれば、ハーネスコードの上面と相補形状の凹状面がバネクリップの片側のみに形成されている場合よりも、コードクリップによって保持されるハーネスコードの本数を増加させることができる。
【００３２】
請求項６に記載の車両用灯具では、２つの係止爪の間に挿入されるリブの幅寸法が、リブの高さ方向の位置に応じて異ならされている。
【００３３】
詳細には、請求項６に記載の車両用灯具では、リブの幅寸法が比較的小さい位置においてコードクリップの２つの係止爪の間にハウジングのリブを挿入することにより、つまり、２つの係止爪の間にハウジングのリブを浅く挿入することにより、ハウジングのリブに対してコードクリップを取り付けるのに要する力を小さくすることができる。
【００３４】
また、請求項６に記載の車両用灯具では、リブの幅寸法が比較的大きい位置においてコードクリップの２つの係止爪の間にハウジングのリブを挿入することにより、つまり、２つの係止爪の間にハウジングのリブを深く挿入することにより、ハウジングのリブに対してコードクリップを取り付けるのに要する力を大きくすることができる。
【００３５】
すなわち、請求項６に記載の車両用灯具によれば、ハウジングのリブに対してコードクリップを取り付けるのに要する力を調整することができる。
【００３６】
請求項７に記載の車両用灯具では、２つの係止爪の間に挿入されるリブの幅寸法が、リブの高さ方向の位置に応じて段階的に異ならされているのではなく、リブの高さ方向の位置に応じて連続的に異ならされている。そのため、請求項７に記載の車両用灯具によれば、２つの係止爪の間に挿入されるリブの幅寸法がリブの高さ方向の位置に応じて段階的に異ならされている場合よりも、ハウジングのリブに対してコードクリップを取り付けるのに要する力を細かく調整することができる。
【発明を実施するための最良の形態】
【００３７】
以下、本発明の車両用灯具の第１の実施形態について説明する。図１は第１の実施形態の車両用灯具を構成する部品の一部を分解して示した斜視図、図２は第１の実施形態の車両用灯具のハウジング３に形成されたリブ３ａ等を示した図である。詳細には、図２（Ａ）はハウジング３のリブ３ａの平面図、つまり、ハウジング３のリブ３ａを図１の上側から見た図である。図２（Ｂ）はハウジング３のリブ３ａの正面図、つまり、ハウジング３のリブ３ａを図１の左手前側から見た図である。図３および図４はハーネスコード１をハウジング３に対して固定するためのコードクリップ２の部品図である。詳細には、図３（Ａ）はコードクリップ２の平面図、図３（Ｂ）はコードクリップ２の正面図、図４はコードクリップ２の斜視図である。図５はコードクリップ２によってハーネスコード１がハウジング３に対して固定された状態を示した図である。
【００３８】
図１〜図５において、１ａはハーネスコード１の上面、つまり、ハーネスコード１の外周面のうち、上側半分の面を示している。２ａはコードクリップ２の一部を構成する樹脂製のクリップ本体を示しており、２ａ１はクリップ本体２ａの下面を示しており、２ａ１ａはクリップ本体２ａの下面２ａ１の一部を構成する凹状面を示している。２ｂはコードクリップ２の一部を構成する金属製のバネクリップを示しており、２ｂ１はバネクリップ２ｂの一部を構成するＵ字状の狭持片を示しており、２ｂ２は狭持片２ｂ１の両端に一体形成された係止爪を示している。３ａ１はハウジング３のリブ３ａの上面を示しており、３ａ２はリブ３ａの左側面を示しており、３ａ３はリブ３ａの右側面を示しており、３ａ４はリブ３ａの前側面を示しており、３ｂはハウジング３の底面を示している。
【００３９】
第１の実施形態の車両用灯具では、ハーネスコード１が、例えばヘッドライトの光源（図示せず）に電力を供給するために用いられる。第２の実施形態の車両用灯具では、代わりに、ターンランプまたはポジションランプの光源（図示せず）に電力を供給するため、あるいは、車両用灯具のカバーレンズ（図示せず）の曇りを防止するためのヒータ（図示せず）に電力を供給するためにハーネスコード１を用いることも可能である。
【００４０】
更に、第１の実施形態の車両用灯具では、図３および図４に示すように、金属製のバネクリップ２ｂを樹脂製のクリップ本体２ａの内側に組み込むことにより、コードクリップ２が構成されている。更に、互いに近づく側に付勢された２つの係止爪２ｂ２をＵ字状の狭持片２ｂ１の両端に一体形成することにより、金属製のバネクリップ２ｂが構成されている。
【００４１】
詳細には、第１の実施形態の車両用灯具では、図１および図５に示すように、コードクリップ２がハウジング３に対して固定される時に、ハウジング３のリブ３ａが、２つの係止爪２ｂ２の間に挿入される。その結果、一方の係止爪２ｂ２がリブ３の左側面３ａ２（図２参照）に係止し、他方の係止爪２ｂ２がリブ３の右側面３ａ３（図２参照）に係止する。それにより、コードクリップ２が、ねじ止め工程無しで、ハウジング３のリブ３ａに対して固定される。
【００４２】
更に、第１の実施形態の車両用灯具では、図５に示すように、コードクリップ２がハウジング３に対して固定される時に、コードクリップ２の下面２ａ１の一部を構成する凹状面２ａ１ａとハウジング３の底面３ｂとによってハーネスコード１が狭持される。それにより、ハーネスコード１が、ハウジング３に対して移動しないように保持される。
【００４３】
また、第１の実施形態の車両用灯具では、図２（Ａ）に示すように、２つの係止爪２ｂ２（図３参照）の間に挿入されるリブ３ａの幅寸法Ｗ１，Ｗ２が、リブ３ａの長手方向（図２（Ａ）の上下方向）の位置に応じて異ならされている。詳細には、リブ３ａの上面３ａ１の前端の幅寸法Ｗ１が、リブ３ａの上面３ａ１の後端の幅寸法Ｗ２よりも小さくされている。
【００４４】
そのため、第１の実施形態の車両用灯具では、リブ３ａの幅寸法が比較的小さい前側（図２（Ａ）の下側）の位置においてコードクリップ２の２つの係止爪２ｂ２の間にハウジング３のリブ３ａを挿入することにより、ハウジング３のリブ３ａに対してコードクリップ２を取り付けるのに要する力を小さくすることができる。一方、リブ３ａの幅寸法が比較的大きい後側（図２（Ａ）の上側）位置においてコードクリップ２の２つの係止爪２ｂ２の間にハウジング３のリブ３ａを挿入することにより、ハウジング３のリブ３ａに対してコードクリップ２を取り付けるのに要する力を大きくすることができる。
【００４５】
すなわち、第１の実施形態の車両用灯具によれば、コードクリップ２の取り付け位置を変更することにより、ハウジング３のリブ３ａに対してコードクリップ２を取り付けるのに要する力を調整することができる。
【００４６】
また、第１の実施形態の車両用灯具では、図２（Ａ）に示すように、リブ３ａの上面３ａ１がテーパ状に形成されている。つまり、２つの係止爪２ｂ２の間に挿入されるリブ３ａの幅寸法が、リブ３ａの長手方向（図２（Ａ）の上下方向）の位置に応じて段階的に異ならされているのではなく、リブ３ａの長手方向（図２（Ａ）の上下方向）の位置に応じて連続的に異ならされている。そのため、第１の実施形態の車両用灯具によれば、ハウジング３のリブ３ａに対してコードクリップ２を取り付けるのに要する力を細かく調整することができる。
【００４７】
更に、第１の実施形態の車両用灯具では、図５に示すように、コードクリップ２の下面２ａ１の一部を構成する凹状面２ａ１ａが、ハーネスコード１の上面１ａと相補形状に形成されている。そのため、第１の実施形態の車両用灯具によれば、ハーネスコード１の保持力を向上させることができる。つまり、ハーネスコード１がコードクリップ２の下面２ａ１とハウジング３の底面３ｂとの間から逸脱してしまうおそれを低減することができる。
【００４８】
また、第１の実施形態の車両用灯具では、図３〜図５に示すように、ハーネスコード１の上面１ａと相補形状の凹状面２ａ１ａがバネクリップ２ｂの左側と右側とに形成されている。そのため、第１の実施形態の車両用灯具によれば、１個のコードクリップ２によって２本のハーネスコード１を保持することができる。
【００４９】
更に、第１の実施形態の車両用灯具では、図２（Ｂ）に示すように、２つの係止爪２ｂ２（図３参照）の間に挿入されるリブ３ａの幅寸法Ｗ１，Ｗ３が、リブの高さ方向（図２（Ｂ）の上下方向）の位置に応じて異ならされている。詳細には、リブ３ａの前側面３ａ４の上端の幅寸法Ｗ１が、リブ３ａの前側面３ａ４の下端の幅寸法Ｗ３よりも小さくされている。
【００５０】
そのため、第１の実施形態の車両用灯具では、リブ３ａの幅寸法が比較的小さい上側（図２（Ｂ）の上側）の位置においてコードクリップ２の２つの係止爪２ｂ２の間にハウジング３のリブ３ａを挿入することにより、つまり、コードクリップ２の凹状面２ａ１ａとハーネスコード１の上面１ａとが比較的弱い力で当接する程度に、２つの係止爪２ｂ２の間にハウジング３のリブ３ａを浅く挿入することにより、ハウジング３のリブ３ａに対してコードクリップ２を取り付けるのに要する力を小さくすることができる。
【００５１】
一方、リブ３ａの幅寸法が比較的大きい下側（図２（Ｂ）の下側）の位置においてコードクリップ２の２つの係止爪２ｂ２の間にハウジング３のリブ３ａを挿入することにより、つまり、コードクリップ２の凹状面２ａ１ａとハーネスコード１の上面１ａとが比較的強い力で当接する程度に、２つの係止爪２ｂ２の間にハウジング３のリブ３ａを深く挿入することにより、ハウジング３のリブ３ａに対してコードクリップ２を取り付けるのに要する力を大きくすることができる。
【００５２】
すなわち、第１の実施形態の車両用灯具によれば、コードクリップ２に対してハウジング３のリブ３ａを挿入する深さを変更することにより、ハウジング３のリブ３ａに対してコードクリップ２を取り付けるのに要する力を調整することができる。
【００５３】
また、第１の実施形態の車両用灯具では、図２（Ｂ）に示すように、リブ３ａの前側面３ａ４がテーパ状に形成されている。つまり、２つの係止爪２ｂ２の間に挿入されるリブ３ａの幅寸法が、リブ３ａの高さ方向（図２（Ｂ）の上下方向）の位置に応じて段階的に異ならされているのではなく、リブ３ａの高さ方向（図２（Ｂ）の上下方向）の位置に応じて連続的に異ならされている。そのため、第１の実施形態の車両用灯具によれば、ハウジング３のリブ３ａに対してコードクリップ２を取り付けるのに要する力を細かく調整することができる。
【００５４】
第１の実施形態の車両用灯具では、ハウジング３のリブ３ａに対してコードクリップ２を取り付けるのに要する力が大きくされるに従って、係止爪２ｂ２がリブ３の左側面３ａ２（図２参照）に係止する力、および、他方の係止爪２ｂ２がリブ３の右側面３ａ３（図２参照）に係止する力が大きくなり、それにより、コードクリップ２がハウジング３のリブ３ａから脱落してしまうおそれが小さくなる。
【図面の簡単な説明】
【００５５】
【図１】第１の実施形態の車両用灯具を構成する部品の一部を分解して示した斜視図である。
【図２】第１の実施形態の車両用灯具のハウジング３に形成されたリブ３ａ等を示した図である。
【図３】ハーネスコード１をハウジング３に対して固定するためのコードクリップ２の部品図である。
【図４】ハーネスコード１をハウジング３に対して固定するためのコードクリップ２の部品図である。
【図５】コードクリップ２によってハーネスコード１がハウジング３に対して固定された状態を示した図である。
【符号の説明】
【００５６】
１              ハーネスコード
１ａ            上面
２              コードクリップ
２ａ            クリップ本体
２ａ１          下面
２ａ１ａ        凹状面
２ｂ            バネクリップ
２ｂ１          狭持片
２ｂ２          係止爪
３              ハウジング
３ａ            リブ
３ａ１          上面
３ａ２          左側面
３ａ３          右側面
３ａ４          前側面
３ｂ            底面
【図１】
2008177051.tif 000003
【図２】
2008177051.tif 000004
【図３】
2008177051.tif 000005
【図４】
2008177051.tif 000006
【図５】
2008177051.tif 000007